【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
アッパーと前記アッパーに固定されているソール構造とを有する履物製品であって、前記アッパーは、ニット構成要素とカバー構成要素とを備え、
前記ニット構成要素は、カラー部とスロート部とを含み、前記カラー部が足首開口部を画成している円筒形構成を有し、前記スロート部が前記カラー部から外側に、前記アッパーのスロート区域の長さの少なくとも一部に延びており、前記カラー部および前記スロート部が、前記アッパーの外側面の第１区域、および前記アッパーの内側面の第１区域を形成している、一体ニット構造から形成されており、
前記カバー構成要素は、前記ニット構成要素に固定されて、前記ニット構成要素と前記ソール構造との間に延びており、前記アッパーの前記外側面の第２区域、および前記アッパーの前記内側面の第２区域を形成している、履物製品。
【請求項２】
前記ニット構成要素は第１ニット層と第２ニット層とを含んでおり、前記第１ニット層は前記アッパーの前記外側面の前記第１区域を形成し、前記第２ニット層は前記アッパーの前記内側面の前記第１区域を形成している、請求項１に記載の履物製品。
【請求項３】
前記第１ニット層は前記第２ニット層に接触して相対している、請求項２に記載の履物製品。
【請求項４】
前記第１ニット層および前記第２ニット層の周縁区域が互いに接合されており、かつ、前記第１ニット層および前記第２ニット層の中央区域は互いに接合されていない、請求項２または請求項３に記載の履物製品。
【請求項５】
前記ニット構成要素は前記カラー部から外側に、前記履物のかかと領域の高さの少なくとも一部に延びているかかと部をさらに含む、請求項１から請求項４のいずれかに記載の履物製品。
【請求項６】
前記かかと部は前記アッパーの前記外側面および前記アッパーの前記内側面の区域をさらに形成している、請求項５に記載の履物製品。
【請求項７】
前記ニット構成要素は、異なるニット構造、および異なる糸のうち、少なくとも１つを有する個別領域を含む、請求項１から請求項６のいずれかに記載の履物製品。
【請求項８】
前記ニット構成要素の少なくとも一部は畝編み構造を有する、請求項１から請求項６のいずれかに記載の履物製品。
【請求項９】
締めひもが前記スロート区域越しに延びており、前記アッパーの前記外側面の前記第１区域に接触する、請求項１から請求項８のいずれかに記載の履物製品。
【請求項１０】
前記アッパーは、前記ニット構成要素と前記ソール構造との間の領域に延びている複数の伸長ストランドと、前記伸長ストランドに連結されているとともに、前記スロート区域越しに延びている締めひもとを含む、請求項１から請求項８のいずれかに記載の履物製品。
【請求項１１】
アッパーと前記アッパーに固定されているソール構造とを有する履物製品であって、前記アッパーは、
互いに隣接して相対している外側ニット層と内側ニット層とを含んでおり、前記外側ニット層および前記内側ニット層のそれぞれが前記アッパーの足首開口部を画成している前記アッパーのカラーの周りに延びてカラーを形成し、前記外側ニット層および前記内側ニット層のそれぞれが前記アッパーのスロート区域の長さの少なくとも一部に延びており、前記外側ニット層は前記アッパーの外側面の第１区域を形成し、前記内側ニット層は前記アッパーの内側面の第１区域を形成している、ニット構成要素と、
前記ニット構成要素に固定されて、前記ニット構成要素と前記ソール構造との間に延びており、前記アッパーの前記外側面の第２区域、および前記アッパーの前記内側面の第２区域を形成しているカバー構成要素と、
を備える履物製品。
【請求項１２】
前記ニット構成要素は前記カラーに円筒形構成を有する、請求項１１に記載の履物製品。
【請求項１３】
前記外側ニット層は前記内側ニット層に接触して相対している、請求項１１または請求項１２に記載の履物製品。
【請求項１４】
前記外側ニット層および前記内側ニット層の周縁区域は互いに接合されており、かつ、前記外側ニット層および前記内側ニット層の中央区域は互いに接合されていない、請求項１１から請求項１３のいずれかに記載の履物製品。
【請求項１５】
前記外側ニット層および前記内側ニット層のそれぞれは、履物のかかと領域の高さの大半に延びている、請求項１１から請求項１４のいずれかに記載の履物製品。
【請求項１６】
前記ニット構成要素は、前記外側ニット層の２つのセクションが互いに接合されているか、または前記内側ニット層の２つのセクションが互いに接合されている縫い目を含む、請求項１１から請求項１５のいずれかに記載の履物製品。
【請求項１７】
前記外側ニット層は、異なるニット構造、および異なる糸のうち、少なくとも１つを有する個別領域を含む、請求項１１から請求項１５のいずれかに記載の履物製品。
【請求項１８】
締めひもが前記スロート区域越しに繰り返し延びており、前記外側ニット層に接触する、請求項１１から請求項１７のいずれかに記載の履物製品。
【請求項１９】
前記アッパーは、前記ニット構成要素と前記ソール構造との間の領域に延びている複数の伸長ストランドと、前記伸長ストランドに連結されて、前記スロート区域越しに繰り返し延びている締めひもとを含む、請求項１１から請求項１７のいずれかに記載の履物製品。
【請求項２０】
履物製品用のニット構成要素であって、前記ニット構成要素は、
円筒形構成を有するカラー部と、
前記カラー部から外側に延びているスロート部と、
前記カラー部および前記スロート部の第１面を形成している第１ニット層と、
前記第１ニット層に隣接して配置され、前記カラー部および前記スロート部の反対の第２面を形成している第２ニット層とを備えており、
前記第１ニット層および前記第２ニット層の周縁区域は互いに接合されており、前記第１ニット層および前記第２ニット層の中央区域は互いに接合されていない、履物製品用のニット構成要素。
【請求項２１】
前記ニット構成要素は一体ニット構造から形成されている、請求項２０に記載のニット構成要素。
【請求項２２】
前記ニット構成要素は、異なるニット構造、および異なる糸のうち、少なくとも１つを有する個別領域を含む、請求項２０に記載の履物製品。
【請求項２３】
履物製品の製造方法であって、前記方法は、
２つの実質的に同一の広がりをもつ層を編み、および前記層の周縁区域を互いに接合することによって、ニット構成要素を形成する丸編みプロセスを利用するステップと、
前記ニット構成要素が前記アッパーのカラーを形成し、前記ニット構成要素がアッパーのスロート区域の長さの大半に延びるように、前記ニット構成要素を前記履物製品の前記アッパーに組み込むステップと、
を含む製造方法。
【請求項２４】
前記丸編みプロセスを利用するステップは、円筒形構成を有する前記ニット構成要素の第１部分、および前記第１部分から外側に延びている前記ニット構成要素の第２部分を形成するステップを含む、請求項２３に記載の方法。
【請求項２５】
前記丸編みプロセスを利用するステップは、前記２つの実質的に同一の広がりをもつニット層から前記第１部分および前記第２部分を形成するステップをさらに含む、請求項２４に記載の方法。
【請求項２６】
前記ニット構成要素を組み込むステップは、前記カラーを形成する前記第１部分、および前記スロート区域まで延びている前記第２部分を配置するステップを含む、請求項２４または請求項２５に記載の方法。
【請求項２７】
履物製品の製造方法であって、前記方法は、
ニット構成要素のカラー部およびスロート部の互いに反対の面をそれぞれ形成している第１層および第２層を編むステップであって、前記カラー部は円筒形構成を有しており、前記スロート部は前記カラー部から外側に延びている、前記編むステップと、
前記カラー部はアッパーのカラーを形成するように配置されて足首開口部を画成し、前記スロート部は前記アッパーのスロート区域の長さの少なくとも一部に延びるように配置され、前記第１層が前記アッパーの外側面の一部を形成するように配置され、前記第２層が前記アッパーの内側層の一部を形成するように配置されるように、前記ニット構成要素を前記履物製品の前記アッパーに組み込むステップと、
を含む製造方法。
【請求項２８】
前記編むステップは丸編みプロセスを利用するステップを含む、請求項２７に記載の方法。
【請求項２９】
前記編むステップは、前記第１層および前記第２層の周縁区域を接合するステップを含む、請求項２７に記載の方法。
【請求項３０】
前記編むステップは前記カラー部から外側に延びているかかと部を形成するステップを含み、前記組み込むステップは前記履物のかかと領域に前記かかと部を配置するステップを含む、請求項２７から請求項２９のいずれかに記載の方法。
【請求項３１】
前記編むステップは、異なるニット構造、および異なる糸のうち、少なくとも１つを有する個別領域を形成するステップを含む、請求項２７から請求項３０のいずれかに記載の方法。
【請求項３２】
前記組み込むステップは、前記ニット構成要素と前記履物製品のソール構造との間に延びているカバー構成要素に前記ニット構成要素を接合するステップを含む、請求項２７から請求項３１のいずれかに記載の方法。
【請求項３３】
履物製品の製造方法であって、前記方法は、
２つのニット層をもつ円筒形構成を有するように筒状構造を編むステップと、
前記筒状構造から、カラー部および前記カラー部から外側に延びているスロート部を含むニット構成要素を取り出すステップと、
前記カラー部がアッパーのカラーを形成するように配置されて、足首開口部を画成し、前記スロート部が前記アッパーのスロート区域の長さの少なくとも一部に延びるように配置されるように、前記ニット構成要素を前記履物製品の前記アッパーに組み込むステップと、
を含む製造方法。
【請求項３４】
前記編むステップは丸編みプロセスを利用するステップを含む、請求項３３に記載の方法。
【請求項３５】
前記組み込むステップは、前記ニット構成要素と前記履物製品のソール構造との間に延びているカバー構成要素に前記ニット構成要素を接合するステップを含む、請求項３３または請求項３４に記載の方法。
【手続補正２】
【補正対象書類名】明細書
【補正対象項目名】００２２
【補正方法】変更
【補正の内容】
【００２２】
ソール構造１１０の主要要素は、ミッドソール１１１、アウトソール１１２および中敷き１１３である。ミッドソール１１１はアッパー１２０の下面に固定されており、歩いているとき、走っているときまたは他の歩行活動中に足と地面との間で圧縮されると、地面の反力を弱める（すなわち、クッション性をもたらす）圧縮性ポリマー発泡体要素（例、ポリウレタンまたはエチルビニルアセテート発泡体）から形成される。さらなる構成では、ミッドソール１１１は、さらに力を弱め、安定性を高め、足の動きに影響を与えるプレート、モデレータ、流体充填袋、ラスティング要素もしくはモーションコントロール部材を組み込んでもよく、またはミッドソー１１１は主に流体充填袋から形成してもよい。アウトソール１１２はミッドソール１１１の下面に固定されており、静止摩擦力を付与するように織られた耐擦過性のゴム材料から形成してもよい。中敷き１１３は履物１００の快適性を高めるために、アッパー１２０の内部に置かれて、足の下面の下に広がるように配置されている。
【手続補正３】
【補正対象書類名】明細書
【補正対象項目名】００４５
【補正方法】変更
【補正の内容】
【００４５】
履物１００の他の区域における変型の他に、ニット構成要素１３０の複数の特徴が大幅に変わっていてもよい。図１３Ａを参照すると、ニット構成要素１３０は畝編み構造を含む。より具体的には、ニット層１３４および１３５の両方が畝編み構造を有するように形成されている。この変型として、図１３Ｂは、内側ニット層１３５が平編み構造を有するのに対し、畝編み構造を有する外側ニット層１３４を図示している。図示していないが、別の構成は外側ニット層１３４に畝編み構造を利用してもよく、内側ニット層１３５が畝編み構造を有するある区域と、平編み構造またはメッシュニット構造を有する別の区域とを含んでもよい。ニット構成要素１３０のさらなる変型は、部分１３１〜１３３の相対的なサイズに関係してもよい。例えば、図１３Ｃは、カラー部１３１が上方に大きく伸びており、着用者の足首をより多く覆うような構造を図示している。図１３Ｄでは、かかと部１３３はニット構成要素１３０に存在せず、図１２Ａに関して先に述べた構造になるであろう。さらに、図１３Ｅは、スロート部１３２およびかかと部１３３がそれぞれ長さが増大した構成を図示している。
【手続補正４】
【補正対象書類名】明細書
【補正対象項目名】００４６
【補正方法】変更
【補正の内容】
【００４６】
ニット構成要素１３０のさらなる変型を図１４Ａに図示している。カラー部１３１の一部はニット層１３４および１３５の両方を含むが、スロート部１３２およびかかと部１３３は外側ニット層１３４だけを含む。ニット構成要素１３０はスロート区域１２４に追加の詰め物を与えて、締めひも１２７を含む構成の快適性を高めるさまざまな特徴を有してもよい。例えば、図１４Ｂは厚さを増した内側ニット層１３５を図示しており、図１４Ｃはスロート部１３２のニット層１３４と１３５との間に配置されている発泡体要素１３７を図示している。さらなる変型として、図１４Ｄはスロート部１３２のニット層１３４および１３５を接合している縫製を図示している。図１４Ｅを参照すると、縫い目１３６は、カラー部１３１において、内側ニット層１３５ではなく、外側ニット層１３４の部分を接合している。ニット層１３４および１３５は一体ニット構造から形成してもよいが、図１４Ｆはニット層１３４および１３５が互いに相対する個別の要素として形成されている構成を図示している。
【手続補正５】
【補正対象書類名】明細書
【補正対象項目名】００５４
【補正方法】変更
【補正の内容】
【００５４】
所定数のコースを編んだ後、編み機は第１カラーセクション１５１および外側層セクション１５５にあるコース１６０に関連するパターン１５０からデータを読み取る。したがって、編み機はカラー部１３１および外側ニット層１３４に配置されるニット構成要素１３０の円形コースの形成に移行している。
【手続補正６】
【補正対象書類名】明細書
【補正対象項目名】００５５
【補正方法】変更
【補正の内容】
【００５５】
編みプロセスを続けると、編み機はスロートセクション１５２および外側層セクション１５５にあるコース１６０に関連するパターン１５０からデータを読み取る。したがって、編み機はスロート部１３２および外側ニット層１３４に配置されるニット構成要素１３０のコースの形成に移行している。前のコースは円形であったのに対し、これらのコースは非円形または直線で、スロート部１３２の縁部または周縁区域間にのみ延びている。
【手続補正７】
【補正対象書類名】明細書
【補正対象項目名】００５７
【補正方法】変更
【補正の内容】
【００５７】
編みプロセスを続けると、編み機は第２カラーセクション１５３および第２内側層セクション１５６にあるコース１６０に関連するパターン１５０からデータを読み取る。したがって、編み機はカラー部１３１および内側層１３５に配置されるニット構成要素１３０の円形コースの形成に移行している。編みプロセスがさらに続くと、編み機は糸を機械的に操作して、ニット構成要素１３０の最終コースを形成する。参照のために、パターン１５０は最終コース１６０（すなわち、第２縫い目縁部１５９に配置されるコース１６０）を第２カラーセクション１５３および第２内側層セクション１５６にあると特定している。ニット構成要素１３０の最終コースを形成するとき、第１コースは最終コースに接合して、それによって縫い目１３６を形成してもよい。すなわち、編みプロセスを通してダイアルに保持された第１コースを最終コースに接合して縫い目１３６を形成してもよい。いくつかの構成において、縫い目１３６は手もしくは縫製プロセスによって形成してもよく、または平らな縫い目もしくは平らなステッチが縫い目１３６ステッチ越しに延びて、より仕上げ外観を提供してもよい。